(57)【特許請求の範囲】
【請求項１】
オスコネクタが挿入される挿入口を有する筒状のハウジング部と、
前記挿入口を閉塞するように前記ハウジング部に固定された、弾性弁体とを備え、
前記ハウジング部は、前記挿入口を囲み、内側から外側に向かって次第に高さが高くなるように傾斜した傾斜部を有する端面と、前記端面の裏面から下方に突出した上爪部と、前記弾性弁体を底面から保持する底面保持部とを有し、
前記弾性弁体は、前記挿入口から露出しスリットが設けられた中央部と、前記中央部を囲み、前記上爪部が挿入される環状溝部と、前記環状溝部より外側に設けられた環状凸部とを有し、
前記環状凸部の上端部の少なくとも一部は、前記中央部の外端部よりも上方又は同等の位置であり、
前記弾性弁体は、底面に設けられた底面溝部を有し、
前記底面保持部は、前記底面溝部に挿入された下爪部であり、
前記ハウジング部の前記端面は、前記弾性弁体の上面と段差なく接続されている、医療用コネクタ。
【請求項２】
前記環状凸部の上端部の外端部は、内端部よりも高い、請求項１に記載の医療用コネクタ。
【請求項３】
前記ハウジング部の外壁面はねじ山を有し、
前記ねじ山は、前記ハウジング部の上端から設けられている、請求項１又は２に記載の医療用コネクタ。
【請求項４】
前記弾性弁体の上面は、中央部がへこむように湾曲している、請求項１〜３のいずれか１項に記載の医療用コネクタ。
【発明の詳細な説明】
【技術分野】
【０００１】
本開示は、医療用コネクタに関する。
【背景技術】
【０００２】
輸液や採血等を行う流体流路にコネクタを設けることにより、薬液の混注等をすることが可能になる。このような用途に用いる医療用コネクタとして、例えば、スプリットセプタムと呼ばれるディスク状の弾性弁体をハウジングの開口部に装着した構造のコネクタが知られている（例えば、特許文献１等を参照。）。
【０００３】
オスコネクタの先端部を弾性弁体のスリットに直接挿入してスリットを押し開けることにより、オスコネクタを流体流路に接続することができる。また、接続したオスコネクタの先端部を弁体から抜き取ると、弾性弁体の復元作用により開口部を閉塞状態に戻すことができる。
【先行技術文献】
【特許文献】
【０００４】
【特許文献１】特開平１１−１９７２５４号公報
【特許文献２】国際公開２０１０／０７３６４３号パンフレット
【発明の概要】
【発明が解決しようとする課題】
【０００５】
しかしながら、このような医療用コネクタには、オスコネクタを弾性弁体に押し込む際に、弾性弁体がハウジングから脱落しやすいという問題がある。
【０００６】
弾性弁体は、外縁部をハウジングで挟み込むことにより固定される。弾性弁体の保持強度を確保するために、ハウジングに挟み込まれる弾性弁体の外縁部を大きくすることが考えられる。しかし、この場合には、弾性弁体の外径が大きくなり、引用文献１のように医療用コネクタ自体が大型化してしまう。弾性弁体の保持強度を高いレベルで確保しつつ、小型化を実現したコネクタとして、弾性弁体の外縁部にくびれ部を設けこの部分を挟み込んだコネクタが開示されている（例えば、特許文献２を参照。）。しかし、未だ保持強度は十分ではなく、さらなる改善が求められている。
【０００７】
本開示の課題は、弾性弁体の径を大きくすることなく、弾性弁体が脱落しにくい医療用コネクタを実現できるようにすることである。
【課題を解決するための手段】
【０００８】
本開示の医療用コネクタの一態様は、オスコネクタが挿入される挿入口を有する筒状のハウジング部と、挿入口を閉塞するようにハウジング部に固定された、弾性弁体とを備え、ハウジング部は、挿入口を囲み、内側から外側に向かって次第に高さが高くなるように傾斜した傾斜部を有する端面と、端面の裏面から下方に突出した上爪部と、弾性弁体を底面から保持する底面保持部とを有し、弾性弁体は、挿入口から露出しスリットが設けられた中央部と、中央部を囲み、上爪部が挿入される環状溝部と、環状溝部より外側に設けられた環状凸部とを有し、環状凸部の上端部の少なくとも一部は、中央部の外端部よりも上方又は同等の位置である。
【０００９】
医療用コネクタの一態様において、弾性弁体は、底面に設けられた底面溝部を有し、底面保持部は、底面溝部に挿入された下爪部であってもよい。
ハウジング部の端面は弾性弁体の上面と段差なく接続されていてもよい。
【００１０】
医療用コネクタの一態様において、前記環状凸部の上端部の外端部は内端部よりも高くてもよい。
【００１１】
医療用コネクタの一態様において、ハウジング部の外壁面はねじ山を有し、ねじ山は、ハウジング部の上端から設けられていてもよい。
【００１２】
医療用コネクタの一態様において、弾性弁体の上面は、中央部がへこむように湾曲していてもよい。
【発明の効果】
【００１３】
本開示の医療用コネクタによれば、弾性弁体の径を大きくすることなく、弾性弁体が脱落しにくい医療用コネクタを実現できる。
【図面の簡単な説明】
【００１４】
【図１】一実施形態に係る医療用コネクタを示す斜視図である。
【図２】一実施形態に係る医療用コネクタを示す断面図である。
【図３】一実施形態に係る医療用コネクタに用いる弾性弁体を示す断面図である。
【図４】一実施形態に係る医療用コネクタの変形例を示す断面図である。
【図５】一実施形態に係る医療用コネクタの変形例を示す断面図である。
【図６】一実施形態に係る医療用コネクタの変形例を示す断面図である。
【図７】一実施形態に係る医療用コネクタの変形例を示す断面図である。
【図８】一実施形態に係る医療用コネクタの変形例を示す斜視図である。
【図９】一実施形態に係る医療用コネクタの変形例を示す斜視図である。
【発明を実施するための形態】
【００１５】
図１及び図２に示すように、本実施形態の医療用コネクタは、標準的なオスルアーコネクタを挿入することができる混注プラグである。具体的に、オスコネクタが挿入される挿入口１１１を有するハウジング１０１と、挿入口１１１を閉塞するようにハウジング１０１に固定された弾性弁体１０２とを有している。本実施形態において、ハウジング１０１はメスコネクタ部１１３とオスコネクタ部１１４とを有している。
【００１６】
本実施形態の医療用コネクタを使用する際の向きは限定されないが、以下においては、挿入口１１１を上にして配置された状態について説明する。
【００１７】
メスコネクタ部１１３は、外筒部材１５１と、外筒部材１５１の内側にはめ込まれた内筒部材１５２とにより形成されている。メスコネクタ部１１３の外観は、基体１３２と、基体１３２から上方に突出し、挿入口１１１を囲む筒状部１３１とを有している。
【００１８】
筒状部１３１は、内側から外側に向かって次第に高くなるように傾斜したテーパ面を有する端面１３４を有している。筒状部１３１の端面１３４の裏面には、下向きに突出した環状の上爪部１４１が設けられている。上爪部１４１と外壁との間には空洞部１３５が設けられている。メスコネクタ部１１３の上爪部１４１と相対する位置には、底面保持部である上向きに突出した環状の下爪部１４２が設けられている。上爪部１４１は外筒部材１５１に設けられており、下爪部１４２は内筒部材１５２に設けられている。
【００１９】
図３に示すように、弾性弁体１０２は、挿入口１１１から上面が露出する中央部１２１と、中央部１２１を囲む環状溝部１２２と、環状溝部１２２を囲む環状凸部１２３とを有している。中央部１２１には、スリット１２１ａが設けられている。環状凸部１２３は、内側から外側に向かって次第に高さが高くなっており、環状凸部１２３の外端部は中央部１２１の外端部よりも上方に位置している。弾性弁体１０２の底面側には、下爪部１４２と対応する位置に、底面溝部１２４が設けられている。なお、本実施形態においては、環状凸部の上端の外端側の一部が弾性弁体の中央部１２１の外端部よりも上方に位置しているが、環状凸部の上端の外端側の一部が弾性弁体の中央部１２１の外端部と同等の位置であってもよい。また、環状凸部の上端全てが弾性弁体の中央部１２１の外端部より上方又は同等の位置であってもよい。
【００２０】
弾性弁体１０２は、環状溝部１２２に上爪部１４１が挿入され、底面溝部１２４に下爪部１４２が挿入され、環状凸部１２３が空洞部１３５に挿入されるようにして、外筒部材１５１と内筒部材１５２との間に挟み込まれている。
【００２１】
オスコネクタを挿入口１１１に挿入すると、弾性弁体１０２の中央部１２１は、スリット１２１ａを開くようにして下方に押し下げられる。この際に、環状溝部１２２よりも外側の部分も下方に引っ張られる。弾性弁体１０２の裏面における下爪部１４２と接する部分が支点となるため、下向きに引っ張る力が、環状凸部１２３の保持力を上回り、環状溝部１２２よりも外側の部分が上爪部と下爪部の間を通過すると、弾性弁体１０２はハウジング１０１から抜け落ちる。環状凸部１２３の保持力は環状凸部１２３の体積が大きいほど大きくなり、環状凸部１２３を引っ張る力は中央部１２１の体積が大きいほど大きくなる。このため、弾性弁体１０２を脱落しにくくするためには、環状凸部１２３の体積を、中央部１２１の体積と比べてできるだけ大きくすることが好ましい。
【００２２】
本実施形態において、環状凸部１２３は、内側から外側に向かって次第に高さが高くなり、上端部が中央部１２１の外端部よりも上方に位置している。このため、環状凸部１２３の上端部が中央部１２１の外縁部上面よりも下側に位置している場合と比べて、環状凸部１２３の中央部１２１に対する体積が大きくなり、弾性弁体１０２は容易に脱落しない。
【００２３】
本実施形態においては、環状凸部１２３を横方向に拡げるのではなく、縦方向に拡げている。このため、ハウジング１０１を大きくしなくても拡大した弾性弁体１０２を収容することができる。また、縦方向に拡げた部分も、筒状部１３１のテーパ状の端面１３４に合わせて、外端部を内端部よりも高くしている。このようにすることで、環状凸部の体積を効率的に大きくすることができる。
【００２４】
中央部１２１を薄くする等により弾性弁体１０２の体積を小さくした場合には、弾性弁体１０２の閉塞効果が低下し、液漏れが発生するおそれがある。しかし、本実施形態においては中央部１２１の体積を小さくするのではなく、環状凸部１２３の体積を大きくしているため、液漏れが発生しやすくなることはない。
【００２５】
本実施形態において、筒状部１３１の端面１３４は傾斜面と、傾斜面より外側に設けられた平面部とを有しており、弾性弁体１０２の上面と段差なく接続されている。このため、アルコール綿と接しない部分が生じにくく、挿入口１１１の周辺を容易にアルコール消毒することができるという効果も得られる。さらに、本実施形態において弾性弁体１０２の中央部１２１はへこむように湾曲しており、筒状部１３１の端面１３４と弾性弁体１０２の上面とは滑らかに接続されている。このため、消毒作業がさらに容易となる。なお、端面１３４と弾性弁体１０２の上面とが接する部分が屈曲していてもよい。また、端面１３４は曲面となっていてもよく、例えば、端面１３４が弾性弁体１０２の上面と同じ曲率の曲面となっていてもよい。なお、湾曲は使用者の指に沿うような角度とされるのが好ましい。また、段差なくとは、使用者がアルコール消毒を容易にできる程度であればよく、好ましくは２ｍｍ以下、さらに好ましくは１ｍｍ以下である。
【００２６】
弾性弁体１０２は、弾性を有する材料により形成することができる。例えば、気密性や再封止性の観点から、イソプレンゴム若しくはシリコーンゴム等の合成ゴム、天然ゴム、又は熱可塑性エラストマー等の材料を用いることができる。成形には、プレス成形又はモールド成形等を用いることができる。スリット１２１ａは、例えば直線形状、Ｙ字形状又は十字形状とすることができる。スリット１２１ａは、成形された弾性弁体１０２の厚さ方向に鋭利な刃を貫通させる等して形成することができる。弾性弁体１０２の直径は、標準的なルアーコネクタとする場合には、４．０ｍｍ〜６．５ｍｍ程度とすることができる。
【００２７】
ハウジング１０１は、弾性弁体１０２を確実に保持する観点から、例えばポリプロピレン、ポリエチレン、ポリカーボネート、ポリスチレン、又はポリアセタール等の熱可塑性樹脂を用いて形成することができる。ハウジング１０１は、弾性弁体の上下面をそれぞれ挟み込む二つの部材から形成することもできる。
【００２８】
筒状部１３１の外壁にはオスコネクタのロックリングと係合するねじ山１３７が切られている。標準のルアーロックとする場合には、ＩＳＯ５９４に準拠してねじ山１３７を形成すればよい。筒状部１３１の上端部に融着加工等を行う場合には、ねじ山形状を維持するために、筒状部１３１の上端からねじ山１３７を形成することができない。しかし、本実施形態においては、外筒部材１５１と内筒部材１５２とは筒状部１３１の下部において係合しており、筒状部１３１の上端部に融着加工等を行わなくてよいため、筒状部１３１の上端からねじ山１３７を設けることができる。
【００２９】
挿入されたロック付きのオスコネクタの先端の位置は、ねじ山１３７の開始位置が下側になるほど深くなる。挿入されたオスコネクタの先端の位置が深くなるほど弾性弁体１０２は下方に引きずられ、脱落しやすくなる。このため、ねじ山１３７を筒状部１３１の上端から設けることにより、弾性弁体１０２をより脱落しにくくすることができる。但し、ねじ山１３７の開始位置は、筒状部１３１の上端に限らない。
【００３０】
底面保持部である下爪部１４２は、弾性弁体１０２の底面に設けられた底面溝部１２４に隙間なく挿入されるようにすることができる。下爪部１４２が底面溝部１２４に隙間なく挿入されていることにより、弾性弁体１０２のがたつきが生じにくくなり、ハウジング部１０１からより脱落しにくくなる。
【００３１】
本実施形態において、下爪部１４２は、ハウジング１０１内壁面から内側に張り出すように設けられている。一方、弾性弁体１０２の底面の外縁部には、下爪部１４２より内側に切欠き１２７が設けられており、オスコネクタが挿入口１１１に挿入され、弾性弁体１０２の中央部１２１が押し広げられた際に、切欠き１２７と下爪部１４２の張り出しとが係合する。このため、中央部１２１が押し下げられる際に、環状凸部１２３に加わる力を小さくすることができる。但し、底面保持部はこのような構成に限らず、弾性弁体１０２を底面側から保持することができればよい。
【００３２】
上爪部１４１を有する外筒部材１５１と下爪部１４２を有する内筒部材１５２とによって弾性弁体１０２を保持する例を示したが、中央が開口した板状の円盤部材に上爪部を設け、内壁からに上方に延びる下爪部を有する筒状部材と円盤部材とを固定して、弾性弁体１０２を保持する構成とすることもできる。
【００３３】
本実施形態において、オスコネクタ部１１４は、ロックリングを有する標準的なルアーオスコネクタである。オスコネクタ部１１４は、上端部が外筒部材１５１及び内筒部材１５２と係合した下側部材１５３により形成されている。外筒部１５１、内筒部１５２及び下側部材１５３は、所定の強度を確保できればどのようにして組み立ててもよい。例えば、超音波融着により互いに固定することもできる。
【００３４】
本実施形態の医療用コネクタは、上記の例に限らず種々の変形が可能である。例えば、上爪部１４１を端面１３４の内端に設ける例を示したが、図４に示すように、上爪部１４１を端面１３４の内端よりも外側に設けてもよい。また、図５に示すように空洞部１３５の上端面の一部が平坦になっていてもよく、完全に平坦であってもよい。また、上爪部は傾斜面の下方に設けられずともよく、例えば、傾斜面の内端から内側に平面を延在させ、当該平面部の下方に上爪部を設けることもできる。なお、傾斜面の下方に上爪部を設けた方が医療用コネクタ自体を小型化できる。また、空洞部は傾斜面の下方に設けられていなくてもよく、例えば、傾斜面より外側の平坦部の下方に空洞部が形成されていてもよい。
【００３５】
さらに、図６に示すように、弾性弁体１０２の中央部１２１の上面は平面としてもよい。中央部１２１の上面を平面とすることにより、弾性弁体１０２の形成が容易となる。
【００３６】
一方、図７に示すように、中央部１２１よりも外側に中央部１２１の底面よりも下方に突出した袴部１２５を設けてもよい。袴部１２５を設けることにより、弾性弁体１０２をさらに脱落しにくくすることができる。
【００３７】
本実施形態において医療用コネクタを混注プラグとしたが、これに限らず流体経路に接続するどのようなコネクタにすることもできる。例えば、図８に示すような下部構造が活栓１１５となった３方活栓、図９に示すような下部構造が長尺の輸液管体１１６となった混注管等とすることも可能である。
【００３８】
メスコネクタ部１１３に標準的なオスルアーコネクタが挿入される例について説明したが、専用品のオスコネクタが挿入される構成とすることもできる。
【産業上の利用可能性】
【００３９】
本開示の医療用コネクタは、弾性弁体の径を大きくすることなく、弾性弁体が脱落しにくくすることができ、流体経路にオスコネクタを容易に接続できる医療用コネクタ等として有用である。
【符号の説明】
【００４０】
１０１      ハウジング
１０２      弾性弁体
１１１      挿入口
１１３      メスコネクタ部
１１４      オスコネクタ部
１１５      活栓
１１６      輸液管体
１２１      中央部
１２１ａ    スリット
１２２      環状溝部
１２３      環状凸部
１２４      底面溝部
１２５      袴部
１２７      切欠き
１３１      筒状部
１３２      基体
１３４      端面
１３５      空洞部
１４１      上爪部
１４２      下爪部
１５１      外筒部材
１５２      内筒部材
１５３      下側部材
【図１】
0006455213.tif 000002
【図２】
0006455213.tif 000003
【図３】
0006455213.tif 000004
【図４】
0006455213.tif 000005
【図５】
0006455213.tif 000006
【図６】
0006455213.tif 000007
【図７】
0006455213.tif 000008
【図８】
0006455213.tif 000009
【図９】
0006455213.tif 000010